(57)【要約】  本発明は、薬剤用包装装置に関する。既知の包装装置には、薬剤が包装内で最適に配置されないという問題がある。この問題を解決するために、本発明による包装装置は、包装材料供給手段（１０）、折曲げ案内ユニット（２０）であって、該折曲げ案内ユニット（２０）は、長手方向に包装材料ウェブ（２）を折曲げるが、その際包装材料ウェブの縁部を、包装材料ウェブ折曲げ領域（２２ａ、２２ｂ）に沿って案内し、折曲げ部（２３）は、包装材料ウェブ（２）に折曲げ領域（３）を確立し、折曲げ案内ユニット（２０）は、被包装薬剤に対する衝突領域（２４）を有する折曲げ案内ユニット（２０）、第１接合ユニット（４０）、及び第２接合ユニット（５０）を含み、折曲げ案内ユニット（２０）は、折曲げ部（２３）から離隔した薬剤供給部（２５）を有し、該薬剤供給部（２５）を介して、薬剤を、折曲げ領域（３）から垂直方向に離隔して、折曲げた包装材料ウェブ（２）内に誘導する。【選択図】図３Ｂ
2018502019.tif 000002
【特許請求の範囲】
【請求項１】
収納ロール（１１）から可撓性の細長い包装材料ウェブ（２）を供給する包装材料供給手段（１０）、
前記包装材料供給手段（１０）の下流に配置し、包装材料ウェブ受容領域（２１）及び折曲げ部（２３）で合流する２つの包装材料ウェブ折曲げ領域（２２ａ、２２ｂ）を有する折曲げ案内ユニット（２０）であって、該折曲げ案内ユニット（２０）は、長手方向に前記包装材料ウェブ（２）を折曲げるが、その際前記包装材料ウェブの縁部を、前記包装材料ウェブ折曲げ領域（２２ａ、２２ｂ）に沿って案内し、前記折曲げ部（２３）は、前記包装材料ウェブ（２）に折曲げ領域（３）を確立し、前記折曲げ案内ユニット（２０）は、被包装薬剤に対する衝突領域（２４）を有する折曲げ案内ユニット（２０）、
前記折曲げ案内ユニット（２０）の下流に配置し、前記折曲げた包装材料ウェブ（２）を長手方向に対して垂直方向に互いに接合するのに用いる第１接合ユニット（４０）、
前記折曲げ案内ユニット（２０）の下流に配置し、前記折曲げた包装材料ウェブ（２）を長手方向と平行に互いに接合するのに用いる第２接合ユニット（５０）
を有する、薬剤用包装装置（１）であって、  
前記折曲げ案内ユニット（２０）は、前記折曲げ部（２３）から離隔した薬剤供給部（２５）を有し、該薬剤供給部（２５）を介して、薬剤を、前記折曲げ領域（３）から垂直方向に離隔して、前記折曲げた包装材料ウェブ（２）内に案内する、薬剤用包装装置（１）。
【請求項２】
前記衝突領域（２４）を提供する前記折曲げ案内ユニット（２０）の表面を、凹面として実装することを特徴とする、請求項１に記載の薬剤用包装装置（１）。
【請求項３】
前記折曲げ案内ユニット（２０）は、着脱可能な薬剤供給部品（２６）及び折曲げ部品（２７）を有し、前記供給部（２５）は、前記着脱可能な薬剤供給部品（２６）の一部であり、前記折曲げ部（２３）は、前記折曲げ部品（２７）の一部であることを特徴とする、請求項１又は請求項２に記載の薬剤用包装装置（１）。
【請求項４】
前記着脱可能な薬剤供給部品（２６）を、該薬剤供給部品（２６）の前記供給部（２５）が、前記折曲げ領域（３）に対して垂直方向に調節可能となるように枢動可能に取付けることを特徴とする、請求項３に記載の薬剤用包装装置（１）。
【請求項５】
前記衝突領域（２４）を提供する前記折曲げ案内ユニット（２０）の前記表面は、少なくとも部分的に付着防止コーティング（２８）を備えることを特徴とする、請求項１から請求項４のいずれかに記載の薬剤用包装装置（１）。
【請求項６】
前記折曲げ案内ユニット（２０）は、洗浄ユニット（２９）が割当てられ、該洗浄ユニットを使用して、前記折曲げ案内ユニット（２０）の前記表面に付着する汚染物質を、除去できることを特徴とする、請求項１から請求項５のいずれかに記載の薬剤用包装装置（１）。
【請求項７】
前記包装装置（１）は、好適には前記折曲げ案内ユニット（２０）の上流に配置する、マーキングユニット（６０）を含むことを特徴とする、請求項１から請求項６のいずれかに記載の薬剤用包装装置（１）。
【発明の詳細な説明】
【技術分野】
【０００１】
本発明は、薬剤用包装装置、特に、自動ブリスタ包装機で使用する包装装置に関する。
【背景技術】
【０００２】
対応する自動ブリスタ包装機は、先行技術から知られている。例えば、国際特許出願公開第２０１３／０３４５０４Ａ１号（特許文献１）では、薬局及び病院で、又は対応する特性（ｄｉｍｅｎｓｉｏｎｉｎｇ）を有する、医師が指示した服用回数に応じて患者毎に個人的に薬剤を纏めるブリスタ包装センタでも使用可能な自動ブリスタ包装機について記載している。自動ブリスタ包装機の包装装置は、薬剤セット（１個の薬剤のみ又は複数の個別の薬剤を収容できる）を、無端包装材料ウェブから形成したパウチ、所謂ブリスタパック内に包装し、このパウチは、「ブリスタ管」として更に使用するために、包装装置から出る（まだ分離していない連結した充填済みブリスタパックのことを、ブリスタ管と呼ぶ）。ブリスタパックは、一般的に、患者が薬剤を服用する時間に対応する、即ち、患者が、例えば朝に服用しなければならない全薬剤を収容する。
【０００３】
上記国際特許出願の明細書による自動ブリスタ包装機は、複数の薬剤用収納及び放出ユニットを含み、該収納及び放出ユニットは、複数の旋回案内ユニットと連動し、旋回案内ユニットは、これもまた旋回する収集ユニットに薬剤を供給し、収集ユニットを介して薬剤セットを包装装置に供給する。特殊な設計のため、自動ブリスタ包装機は、短時間で複数の薬剤セットを提供できるが、これは特別な要求を包装装置に突き付けることになる。
【０００４】
既知の包装装置では、提供された薬剤セットを、対応する搬送ユニットを介して包装装置自体に供給して、包装装置でブリスタパックに包装する（また、この手順を、ブリスタ包装とも呼ぶ）。薬剤セットを、包装装置の所定位置に移送する。これは、例えば、搬送ユニットを一時的に開放し、開放時に薬剤セットが、その目的で提供された衝突板に落下することで行われる。同先行技術による包装装置では、衝突板を、該衝突板を通過して案内した包装材料ウェブに対する加工／折曲補助具（該加工／折曲げ補助具から、包装装置は個別のブリスタパックを成形する）として同時に使用する。包装材料ウェブを、この場合、折曲領域を「下方」に配置するように、長手方向軸に沿って通常折曲げる。薬剤セットの個別の薬剤は、衝突板から折曲領域へと滑り落ちるが、該折曲領域には、一般に、前のパウチを垂直方向に溶着することによって、停止部を形成する。
【０００５】
衝突板と折曲げた包装材料ウェブとを位置合せすることで、包装材料ウェブの移動方向及び衝突板の構造により、一般的に、被包装薬剤が事前に折曲げた包装材料ウェブ内で前後一列に並ぶ。薬剤の数によっては、比較的長いパウチとなり、結果的に、材料の無駄を招き、包装時間が長くなることがある。
【０００６】
被包装薬剤の形によっては、衝突板の幾何学形状により、薬剤を包装材料ウェブの事前に折曲げた部分に不都合に（例えば、偏平な円筒形をした錠剤を端面で）供給してしまうといった問題が、包装材料ウェブの事前に折曲げた充填部分を封止中に、及び包装材料ウェブを包装装置を通して更に搬送する間に、発生することがある。
【先行技術文献】
【特許文献】
【０００７】
【特許文献１】国際特許出願公開第２０１３／０３４５０４Ａ１号
【発明の概要】
【発明が解決しようとする課題】
【０００８】
本発明の目的は、薬剤の事前に折曲げた包装材料ウェブへの供給を、より短い薬剤パックを作成できるように、向上させた薬剤用包装装置を提供することである。
【課題を解決するための手段】
【０００９】
この目的を、本発明に従い、請求項１に記載の薬剤用包装装置によって達成する。本発明による包装装置は、収納ロールから可撓性の細長い包装材料ウェブを供給する包装材料供給手段、及び該包装材料供給手段の下流に配置する折曲げ案内ユニット（用語「下流」は、この場合では、収納ロールから始まり、包装装置を通る、包装材料ウェブの移動方向に関する）を含む。
【００１０】
折曲げ案内ユニットは、包装材料ウェブ受容領域、及び折曲げ部で合流する２つの包装材料ウェブ折曲げ領域を含み、該折曲げ部を、折曲げ案内ユニットの受容領域と反対側に配置する。本発明による包装装置の折曲げ案内ユニットは、長手方向に包装材料ウェブを折曲げるが、その際包装材料ウェブの縁部を、包装材料ウェブ折曲げ領域に沿って案内し、折曲げ部は、包装材料ウェブに折曲げ領域を確立し、それにより、折曲げた包装材料ウェブは、結果的にある程度までＵ字形の断面を有するようになる。
【００１１】
包装動作中、薬剤を、この包装材料ウェブの事前に折曲げたＵ字形領域に供給するが、このＵ字形領域は、包装材料ウェブの移動中、連続的に「形成される」ものであり；この領域を、これ以降、「包装領域」と呼ぶ。
【００１２】
折曲げ案内ユニットは、被包装薬剤に対する衝突領域を含み、薬剤を、この衝突領域によって、折曲げた包装材料ウェブの領域（包装領域）に案内する。
【００１３】
本発明による包装装置は、折曲げ案内ユニットの下流に配置し、包装材料ウェブを長手方向に対して垂直方向に互いに接合するのに用いる第１接合ユニットを含み、通常、２つの垂直方向接合領域を、製造する医薬品パック又はブリスタパック毎に製造する。ブリスタパックを、通常は、包装又は製造後に装置で分離しないため、接合領域を、一般的に、前のブリスタパックの片方の「端部」及び新たなブリスタパックの「始端」として使用する。しかしながら、２つの分離した垂直方向接合領域を、第１接合ユニットの正確な実施形態に応じて、ブリスタパック毎に作成することもできる。
【００１４】
また、包装装置は、折曲げ案内ユニットの下流に配置し、折曲げた包装材料ウェブを長手方向と平行に、折曲げ領域と対向して、又は折曲げ領域から離隔して互いに接合するのに用いる第２接合ユニットを更に含む。
【００１５】
第１接合ユニットと第２接合ユニットを、包装材料ウェブの移動方向に対して、包装装置内で配置する順番は、本発明にとって必須ではなく、包装装置の設計詳細によって決まる。しかしながら、通常は、第１接合ユニットを折曲げ案内ユニットの後に配置する。
【００１６】
本発明によると、折曲げ案内ユニットは、折曲げ部から離隔した薬剤供給部を含み、該薬剤供給部を介して、被包装薬剤を、折曲げ領域から垂直方向に離隔して、折曲げた包装材料ウェブ内に案内する（包装材料ウェブを、供給領域の下流で、垂直方向に互いに接合する）（包装領域）。
【００１７】
先行技術による包装装置では、平坦な衝突板を使用し、該衝突板によって被包装薬剤を、垂直方向の折曲げ領域付近で、包装領域に供給するが、一般的に、包装中に包装材料ウェブが前進するため、薬剤を基本的に前後に配置する結果になり、それにより、ブリスタ包装の過程で作成する薬剤パックの容積を、不十分に利用するだけで、薬剤パックは、結果的に包装材料ウェブの長手方向に対して比較的「長く」なってしまう。
【００１８】
折曲げ案内ユニットの本発明による実施形態のため、薬剤を、折曲げ領域から垂直方向に離隔して、包装領域内に案内し、それにより薬剤が最初、前の薬剤パックの垂直方向接合領域によって停止されて、折曲げ領域に落下し、次の薬剤を、既に供給した薬剤上に任意に配置するようにする。被供給薬剤は、もう互いに妨害しなくなり、それにより一定の速度で（既知の包装装置と比較して）、同じ数の薬剤をより迅速に包装でき、且つ薬剤を、薬剤パック内に前後だけでなく、上下にも配置するため、「より短い」薬剤パックで包装できる。本発明による折曲げ案内ユニットを使用すると、薬剤セットの個別薬剤の供給を、従って、より短い薬剤パックを作成できるように改善し、その結果、とりわけ、包装材料に関して材料を節約できる。しかしながら、供給中に個別の薬剤が互いにそれ程妨害しなくなり、本装置が一層迅速に動作できるため、一層迅速なブリスタ包装も同時に可能となる。
【００１９】
既知の衝突板を使用した場合、不利な事例では、円筒形の薬剤が、薬剤の端面で折曲げた包装材料ウェブ領域に供給されることもあり得る。従って、比較的大径の薬剤を包装する場合、薬剤を、薬剤の放射状部分に関して、包装材料ウェブの移動方向に対して垂直方向に供給し、包装する（であろう）ことが起こり得、その結果、薬剤の大きさ又は封止する折曲げた包装材料ウェブ領域の充填状態によっては、以下の接合領域に関する問題が生じることがある。例えば、折曲げた包装材料ウェブが強く膨出し過ぎると、包装材料ウェブが接合ユニットの実際の接合領域にどうしても届かなくなってしまうため、「偏平」過ぎて、長手方向ユニットに平行な第２接合ユニットで互いに接合できない可能性が出て来る。
【００２０】
本発明による包装装置の好適な実施形態では、そのために、衝突領域を提供する折曲げ案内ユニットの表面を、凹面として実装するという条件にする。これは、一方では、衝突領域の傾斜が急角度になる（凹面でない表面の実施形態と比較すると）という結果となるが、三角形の折曲げ案内ユニットの先端に配置する薬剤供給部を、平坦として、或いは、対照的に、折曲げ案内ユニットの表面が、一種の「スキージャンプ台」となるように実装し、該表面を介して、薬剤を特に効果的に且つ指向させて（接合領域と略平行に）包装材料ウェブの事前に折曲げた領域に案内する。前の薬剤パックの垂直方向の接合領域は、該領域内で薬剤に対する停止部を形成し、該停止部から薬剤は折曲げ領域に落下し、それにより上下に配置する確率が高くなる。
【００２１】
折曲げ案内ユニットの衝突領域で薬剤が衝突する間、極小さい薬剤粒子が決まって分離し、折曲げ案内ユニットの表面を汚染する。その後の薬剤は、その汚染物質粒子を連行することがあり、それにより薬剤パックにおける薬剤の汚染が、時間と共に増大する。そのため、定期的に折曲げ案内ユニットを交換する必要があり、これには手間がかかり、不所望なブリスタ包装の中断が必要になる。
【００２２】
本発明による包装装置の好適な実施形態では、そのために、折曲げ案内ユニットが、着脱可能な薬剤供給部品及び折曲げ部品を有し、供給部を、着脱可能な薬剤供給部品の一部とし、折曲げ部を、折曲げ部品の一部とするという条件にする。一定レベルの汚染に達するとすぐに、折曲げ案内ユニットの本発明による実施形態により、薬剤と接触する着脱可能な薬剤供給部品だけを交換しなければならないが、確実に包装材料ウェブを案内し、折曲げる折曲げ部品は、そのまま包装装置に残すことができる。そのため、包装材料ウェブの案内経路に折曲げ案内ユニット全体を挿入する必要がなくなるため、交換を大幅に迅速に行うことができる。
【００２３】
既に上述したように、薬剤を、包装領域で上下に配置できることも、本発明による包装装置の極めて重要な利点である。包装材料ウェブの折曲げ領域における薬剤の最適な配置は、供給部から包装材料ウェブの折曲げ領域までの距離、より厳密には、供給部の上面から折曲げ部の下面までの距離によって決まる。この距離を理想的に設定可能にするために、好適な実施形態では、着脱可能な薬剤供給部品を枢動可能に取付けることを条件にする。
【００２４】
既に述べたように、折曲げ案内ユニットの表面の汚染は、問題であり、洗浄表面を定期的に提供する必要がある。これを、例えば、折曲げ案内ユニット、又は折曲げ案内ユニットの少なくとも１つの部品を交換することで実行できる。洗浄表面を提供する間隔を延ばすために、本発明による包装装置の好適な実施形態では、衝突領域を提供する折曲げ案内ユニットの表面は、分離した薬剤粒子をより付着しにくくする付着防止コーティングを少なくとも部分的に備えることを条件にする。分離する可能性がある薬剤粒子を、薬剤と共に、折曲げた包装材料ウェブ内に誘導し、表面には残存させない。
【００２５】
或いは、又は加えて、更なる好適な実施形態では、折曲げ案内ユニットの表面に付着する汚染物質を除去するのに用いることができる洗浄ユニットを、折曲げ案内ユニットに割当てることを条件にする。これを、例えば、流体を、折曲げ案内ユニットの表面に付与し、付着している汚染物質を包装材料ウェブ内に流すことで、実行できる。包装材料ウェブの汚染領域を、通常通り互いに接合して、パウチを形成し、その後、処分する。例えば、洗浄液を、洗浄流体として使用できる。洗浄ユニット及び洗浄流体の案内に関する実施形態では、確実に、汚染物質粒子を、包装装置の他の領域内に流さないようにする。
【００２６】
包装材料ウェブを、包装材料供給手段を介して、特に、通常、包装装置の特別な部分に配置できる収納ロールから、折曲げ案内ユニットに提供する。とりわけ、大型のブリスタ包装センタでは、大量の薬剤を、しばしば繰返しシーケンスで、ブリスタ包装するため、収納ロールは、包装材料ウェブ領域を既に印刷又はマーキング済にすることがある。そうした事例では、既にマーキングした包装材料ウェブを有する収納ロールを交換する場合にだけ、被包装薬剤を即時変更できる。被包装薬剤に関して柔軟であるように、本発明による包装装置の好適な実施形態では、包装装置は、包装材料ウェブを、包装する薬剤又は既に包装した薬剤に従いマーキングするのに用いるマーキングユニットを含むことを条件とする。対応するマーキングを、通常、包装材料ウェブに印刷するが、そのためまだ折曲げていない包装材料ウェブを印刷するように、マーキングユニットを折曲げ案内ユニットの上流に配置するのが好ましい。
【００２７】
本発明による包装装置の実施形態について、図面を参照して、更に詳細に記述する。
【図面の簡単な説明】
【００２８】
【図１Ａ】本発明による包装装置の斜視図を示しており、包装材料ウェブを該装置を通して案内している。
【図１Ｂ】包装材料ウェブなしで本発明による包装装置の斜視図を示している。
【図２Ａ−２Ｆ】折曲げ案内ユニットの領域に関する、本発明による包装装置の詳細図を示している。
【図３Ａ−３Ｂ】折曲げ案内ユニットの領域に関する、本発明による包装装置の側面図を示している。
【図４Ａ−４Ｃ】典型的な衝突板を使用した場合の、薬剤を包装材料ウェブに供給するところの略図を示している。
【図５Ａ−５Ｃ】本発明による折曲げ案内ユニットを使用した場合の、薬剤を包装材料ウェブに供給するところの略図を示している。
【図６Ａ−６Ｆ】折曲げ案内ユニットの実施形態に関する図を示している。
【発明を実施するための形態】
【００２９】
図１Ａ及び図１Ｂは、本発明による包装装置の一実施形態の斜視図を示している。図１Ａでは、本装置を通して案内した包装材料ウェブ２を、上部領域に示しており、包装材料ウェブ２は、ブリスタ管２ｄ（図示のみ）として本装置を出ている。ブリスタ管を、本装置を通過中に形成する；これがどのようにして正確に行われるかについて、以下の図を参照して説明する。包装材料ウェブとブリスタ管を、図１Ｂでは省略しており、それ以外、両図面は同じである。
【００３０】
本発明による包装装置の図説した実施形態は、収納ロール１１を含み、該収納ロールに、包装材料ウェブ２を収納し、包装材料ウェブが包装装置を通過する際に、包装材料ウェブ２をパウチに成形し、薬剤を充填する。包装材料ウェブ２を、包装材料供給手段１０を使用して、収納ロール１１から折曲げ案内ユニット２０に供給し、図示した実施形態では、マーキングユニット６０も、収納ロールと折曲げ案内ユニット２０との間に配設し、マーキングユニット６０を使用して、アイテムの情報を包装材料ウェブに付与できる。
【００３１】
この実施形態では三角形である折曲げ案内ユニット２０及び続く第１接合ユニット４０を用いて、包装材料ウェブ２を、長手方向に折曲げて、Ｕ字型の二重ウェブを形成するが、二重ウェブの２本の「脚」を、一般的に、等しい幅及び／又は高さにする。包装装置の同じ部分で行われる包装材料ウェブの実際の折曲げ動作及び折曲げた包装材料ウェブの充填を行う正確な方法について、以下の図面を参照してより詳細に記述する。
【００３２】
折曲げ案内ユニット２０の下流に配設する第１接合ユニット４０を使用して、薬剤を充填した折曲げた包装材料ウェブを、包装材料ウェブの長手方向又は移動方向Ｘ（図１を参照）に対して垂直方向に互いに接合するが、接合領域は、同時に、新たな（まだ封止していない）ブリスタパックの始端であり、前のブリスタパックの終端となる。図示した実施形態では、第１接合ユニット４０を、溶着ユニットで実装し、該溶着ユニットを使用して、折曲げた二重ウェブを、長手方向に対して垂直に溶着する。洗浄ユニット２９を、第１接合ユニット４０に固定して、洗浄ユニット２９を使用して、洗浄流体を折曲げ案内ユニット２０の表面に付与して、表面から汚染物質を除去できる。
【００３３】
第２接合ユニット５０を、第１接合ユニット４０の下流に配設し、第２接合ユニット５０を使用して、薬剤を充填し、既に垂直方向の接合領域を備えている折曲げた二重ウェブを、包装材料ウェブの長手方向に平行に、且つ包装材料ウェブの折目から離隔して互いに接合するが、図示した実施形態では、これも同じく溶着によって実装する。完成したブリスタ管２ｄを、自動ブリスタ包装機の外に案内し、点検及び分離（例えば、患者関連の）のために供給する。
【００３４】
図２Ａ〜図２Ｅでは、本発明による包装装置の一実施形態の、折曲げ案内ユニット２０の領域に関する詳細図を示している。図２Ａで既に分かるように、包装材料ウェブ２を、折曲げ案内ユニット２０及び第１接合ユニット４０を用いて折曲げて、二重ウェブ２ｃを形成する。
【００３５】
このために、折曲げていない包装材料ウェブ２を、包装材料ウェブ受容領域２１で、三角形の折曲げ案内ユニット２０の下に案内する。包装材料ウェブ２の部分２ａ、２ｂは、折曲げ案内ユニットの側方領域に突出している。折曲げ案内ユニット２０の先端（図２Ａでは図示せず）で、折曲げ領域、即ち、実際に包装材料ウェブの折曲げを行う領域を確立する。二重ウェブの折目を、この場合、折曲げ案内ユニット２０から下流にある第１接合ユニット４０によって維持する。
【００３６】
また、図２Ａは、第１接合ユニット４０の数カ所の細部、特に２つの溶着ローラ４１、４２を示しており、溶着ローラ４１、４２は、包装材料ウェブ（又は二重ウェブ）の長手方向又は移動方向に対して垂直に位置合せされ、溶着ローラ４１、４２を使用して、溶着領域又は接合領域を包装材料ウェブの長手方向に対して垂直方向に指向させることを実行する。
【００３７】
ブリスタ包装中、溶着ローラ４１、４２は回転するが、回転速度を、包装材料ウェブのパウチ長及び移動速度に適合させる。図説した実施形態では、各溶着ローラは、２つの対向する溶着部４１ａ、４１ｂ、４２ａ、４２ｂ（これに関しては、図２Ｂを参照）を含み、溶着ローラは、これらの領域で、回転中に溶着ローラ間に案内する二重ウェブと接触するだけである。溶着部を、二重ウェブの進行中で、溶着ローラの回転中に、溶着部が二重ウェブとＸｃｍ毎に接触し、接合領域４を実装するように、互いに適合させる。溶着部と二重ウェブ間の「非接触」の経路長は、ブリスタパックの長さを画定する。
【００３８】
図２Ｂによる図説は、ローラ／接触領域について図説するために使用しているに過ぎない。明らかなように、接合領域は、包装材料ウェブの移動方向で溶着ローラの軸高さにある、即ち、接合領域４を導入した「ばかり」であり；行われたばかりのこの溶着を再現するために、ローラを９０度回転させて示す必要があった。しかしながら、この図説を、理解し易いという理由で選択した。
【００３９】
既に示したように、折曲げ案内ユニット２０を、複数の部品で具体化でき、折曲げ案内ユニット２０は、着脱可能な医薬品供給部品及び折曲げ部品を有することができる。図２Ｃでは、着脱可能な医薬品供給部品２６を省略しており、平坦に実装する、三角形の折曲げ部品２７だけが見られる。また、この図では、折曲げ案内ユニット２０の下にある包装材料ウェブ受容領域２１で案内した後の包装材料ウェブ２が、折曲げ案内ユニット２０の他の２側方領域、所謂、包装材料ウェブ折曲げ領域で突出しているのが見られ、移動方向の「右側」包装材料ウェブ折曲げ領域２２ａのみが見られる。
【００４０】
図２Ｄでは、完全な折曲げ案内ユニット２０を示しているが、包装材料ウェブ２を省略しており、この図説では、「左側」包装材料ウェブ折曲げ領域２２ｂが視認可能である。
【００４１】
図２Ｅでは、折曲げた包装材料ウェブ領域２ａ、２ｂが一体になる領域を図説するために、第１接合ユニットを省略して、折目を図説しており、この領域６を概略的にのみ図説している。例えば、包装材料ウェブ領域２ａ、２ｂは、領域６の一点へと合流することを示すが、領域６に薬剤を連続的に充填して、薬剤で該領域が変形するため、該領域は、実際には、全く精確というわけではない。
【００４２】
包装装置を通してブリスタ包装する間、包装材料ウェブ／二重ウェブを移動し、接合領域も、ウェブと共に更に（矢印の方向に）移動する。折曲げた包装材料ウェブと折曲げ案内ユニット２０は、一種の漏斗を形成し、ブリスタ包装する薬剤を、折曲げ案内ユニットを介してこの漏斗に誘導する（これに関しては、図３Ｂも参照）。
【００４３】
図２Ｆで示した図説では、第１接合ユニットと包装材料ウェブ／二重ウェブの両方を省略しており、本発明に従い具体化された折曲げ案内ユニット２０が見られる。図示した実施形態では、折曲げ案内ユニット２０を、２つの部品で構成し、折曲げ案内ユニット２０は、下部折曲げ部品２７及び上部薬剤供給部品２６を有しており、薬剤供給部品を、折曲げ部品に着脱可能に固定する。図示した実施形態では、薬剤供給部品２６は、衝突領域２４を提供し、衝突領域２４から被包装薬剤を、包装領域に供給する。
【００４４】
図２Ｆから分かるように、この事例では、折曲げ部品２７が提供する２つの包装材料ウェブ折曲げ領域２２ａ、２２ｂは、折曲げ部２３で合流し、折曲げ部２３は、包装材料ウェブの折曲げ領域を画定する。薬剤供給部品２６は、先端の領域に、薬剤供給部２５を有し、薬剤供給部２５を、折曲げ部２３から垂直方向（上方）に離隔して実装する。また、薬剤供給部品２６の表面を、凹面として実装することが、図２Ｆで既に推測できる。
【００４５】
図３Ａ及び図３Ｂは、本発明による包装装置の、折曲げ案内ユニット２０の領域に関する側面図を示している。図３Ａでは、第１接合ユニットを省略して、包装材料ウェブ２の折曲げ経路を、側面から図説している。この図説では、折曲げ案内ユニット自体を、包装装置内で傾斜させて配設し、折曲げた包装材料ウェブ２ｃも、折曲げ後に傾斜させた状態で更に案内することが分かる。
【００４６】
図３Ｂは、本発明による包装装置の更なる側面図を示しており、この図説では、図３Ａから、折曲げた包装材料ウェブの一部、領域２ｂを省略し、それにより折曲げ案内ユニット２０が見えるようにしている。図３Ｂによる図説では、一方で、薬剤７を包装領域６に供給すること及び個別の薬剤をブリスタパック（未完成の）に配置（接合領域４ａ、４ｂによって画定する）することを図説するために、複数の薬剤７も示している。
【００４７】
被供給薬剤セットを、供給手段５を介して折曲げ案内ユニット２０に供給し、折曲げ案内ユニット２０で、薬剤セットは、衝突領域２４に当たる（ｉｎｃｉｄｅｎｔ）。薬剤供給部品２６及び折曲げ部品２７から示す実施形態で形成する折曲げ案内ユニット２０の表面を凹形態にすることで、衝突領域の角度が、凹面として実装しない表面と比較して、急角度となり、それにより薬剤を、一層強力に加速させる。薬剤供給部２５を、折曲げ案内ユニット２０の先端領域に、特に折曲げ部２３から垂直方向に離隔して、実装する。折曲げ案内ユニット２０の本発明による実施形態は、薬剤７を、折目３の領域にある包装領域６には供給せず、むしろ包装材料ウェブの移動方向に対して折目３から垂直方向に離隔して供給するという効果を有する。本発明による折曲げ案内ユニットは、一種のスキージャンプ台を形成する（この効果を、表面を凹形態にすることによって補強する）が、その結果薬剤７を、折曲げ領域３内で次々に単に蓄積するのではなく、包装領域６内へと「ジャンプ」させる。薬剤７は、包装領域、本事例で示した「スナップショット」で、垂直方向の接合領域４ａに対して衝突し、その後折曲げ領域３の方向に落下する。この様に、薬剤を次々に（包装材料ウェブの移動方向に）配置できるだけでなく、互いに重ねても配置でき、その結果、同じ数の薬剤を、より小さなブリスタパック内に包装できる。それに対応して製造したブリスタパックを、図３Ｂの接合領域４ａから「左側」に示している。製造したばかりのブリスタパックの接合領域４ａは、「始端」となり、前のブリスタパックのパック終端となることも分かる。
【００４８】
包装領域に薬剤を蓄積する正確な方法は、薬剤自体及びブリスタパック長によって決まる。図示した状態では、薬剤は、接合領域に衝突し、その後落下する。接合領域４ａが更に左へと移動する包装材料ウェブの進行中、薬剤は、接合領域にはもう衝突せず、むしろ移動方向に離隔する包装領域に単に到達することも起こり得る。  
【００４９】
図４Ａ〜図４Ｃ及び図５Ａ〜図５Ｃは、既知の衝突板と本発明による折曲げ案内ユニットを使用してブリスタパックを製造する際の差異について図式的に示しており、図４Ａ〜図４Ｃでは、既知の衝突板２０’を使用した製造について示している。  
【００５０】
図６Ａ〜図６Ｄは、本発明による折曲げ案内ユニット２０の実施形態に関する様々な図を示しており、図示した実施形態は、薬剤供給部品２６及び折曲げ部品２７を有する。
【００５１】
図示した実施形態では、折曲げ部品２７を、平坦な三角板として実装している。しかしながら、特に、折曲げ部品の下面を他の実施形態では全く異なって実装することもできる。
【００５２】
図面、特に図６Ｃでは、薬剤供給部品２６の表面の凹形態がよく視認できる。また、包装材料ウェブ受容領域２１と包装材料ウェブ折曲げ領域２２ａ、２２ｂもよく視認でき、これら領域は、折曲げ部品２７で示す実施形態に設けられている。
【００５３】
薬剤供給部品を、折曲げ部品に対して枢動可能なように実装でき、それにより折曲げ案内ユニットを、包装する又はブリスタ包装する薬剤に適合することが可能となることが、図６Ｅ及び図６Ｆでよく視認できる。
【図１Ａ】
2018502019.tif 000003
【図１Ｂ】
2018502019.tif 000004
【図２Ａ】
2018502019.tif 000005
【図２Ｂ】
2018502019.tif 000006
【図２Ｃ】
2018502019.tif 000007
【図２Ｄ】
2018502019.tif 000008
【図２Ｅ】
2018502019.tif 000009
【図２Ｆ】
2018502019.tif 000010
【図３Ａ】
2018502019.tif 000011
【図３Ｂ】
2018502019.tif 000012
【図４Ａ】
2018502019.tif 000013
【図４Ｂ】
2018502019.tif 000014
【図４Ｃ】
2018502019.tif 000015
【図５Ａ】
2018502019.tif 000016
【図５Ｂ】
2018502019.tif 000017
【図５Ｃ】
2018502019.tif 000018
【図６Ａ】
2018502019.tif 000019
【図６Ｂ】
2018502019.tif 000020
【図６Ｃ】
2018502019.tif 000021
【図６Ｄ】
2018502019.tif 000022
【図６Ｅ】
2018502019.tif 000023
【図６Ｆ】
2018502019.tif 000024
【国際調査報告】
2018502019.tif 000025
2018502019.tif 000026
2018502019.tif 000027
2018502019.tif 000028